(57)【要約】      （修正有）【課題】部品点数の削減を図れると共に、雨水の浸入を確実に防止できるようにした通気ルーバー装置を提供する。【解決手段】電気機器ボックス１のパネル穴１ａを外面側から覆う通気ルーバー２と、パネル穴１ａの内周縁部と通気ルーバー２との間をシールするパッキン３と、パネル穴１ａの内面側に配置した押え枠４と、前記通気ルーバー２、パッキン３、パネル穴１ａの内周縁部及び押え枠４を共締めする複数組のボルト５及びナット６とから成る通気ルーバー装置において、前記押え枠の内面側に、一組のボルト及びナットが通る通し穴を形成したフィルターを止めナットにより固定して押え枠の開口を覆い、前記止めナット８は、フィルター７の通し穴７ａを通ったボルト５に着脱自在に螺着されて当該ボルト５に螺着されたナット６を収容する凹部８ａを有しており、当該凹部８ａにナット６を収容した状態で止めナット８の座面がフィルター７へ当接できる構成とする。【選択図】図２
0003157327.tif 000002
【実用新案登録請求の範囲】
【請求項１】
電気機器ボックス（１）に形成した四角形状のパネル穴（１ａ）を外面側から覆い、下向きに開口する通気口（２ａ）を上下多段に形成した通気ルーバー（２）と、パネル穴（１ａ）の内周縁部と通気ルーバー（２）の外周縁部との間に介設したシール用のパッキン（３）と、パネル穴（１ａ）の内周縁部内面側に配置した四角形状の押え枠（４）と、前記通気ルーバー（２）、パッキン（３）、パネル穴（１ａ）の内周縁部及び押え枠（４）を共締めする複数組のボルト（５）及びナット（６）とから成る通気ルーバー装置において、前記押え枠（４）の内面側に、押え枠（４）の開口を覆う四角形状の防虫用又は防塵用のフィルター（７）を押え枠（４）の内面に密接する状態で止めナット（８）により固定し、前記フィルター（７）は、その上端部に一組のボルト（５）及びナット（６）が通る通し穴（７ａ）を有し、又、前記止めナット（８）は、フィルター（７）の通し穴（７ａ）を通ったボルト（５）に着脱自在に螺着されて当該ボルト（５）に螺着されたナット（６）を収容する凹部（８ａ）を有しており、当該凹部（８ａ）にナット（６）を収容した状態で止めナット（８）の座面がフィルター（７）へ当接してフィルター（７）を押え枠（４）側へ押え付ける構成としたことを特徴とする通気ルーバー装置。
【請求項２】
電気機器ボックス（１）に形成した四角形状のパネル穴（１ａ）を外面側から覆い、下向きに開口する通気口（２ａ）を上下多段に形成した通気ルーバー（２）と、パネル穴（１ａ）の内周縁部と通気ルーバー（２）の外周縁部との間に介設したシール用のパッキン（３）と、パネル穴（１ａ）の内周縁部内面側に配置した四角形状の押え枠（４）と、前記通気ルーバー（２）、パッキン（３）、パネル穴（１ａ）の内周縁部及び押え枠（４）を共締めする複数組のボルト（５）及びナット（６）とから成る通気ルーバー装置において、前記押え枠（４）の内面側に、通気ルーバー（２）の通気口（２ａ）から吹き込む雨水の浸入を防ぐ前面及び上面が開放されたフード（１０）を一体的に設けたことを特徴とする通気ルーバー装置。
【請求項３】
電気機器ボックス（１）に形成した四角形状のパネル穴（１ａ）を外面側から覆い、下向きに開口する通気口（２ａ）を上下多段に形成した通気ルーバー（２）と、パネル穴（１ａ）の内周縁部と通気ルーバー（２）の外周縁部との間に介設したシール用のパッキン（３）と、パネル穴（１ａ）の内周縁部内面側に配置した四角形状の押え枠（４）と、前記通気ルーバー（２）、パッキン（３）、パネル穴（１ａ）の内周縁部及び押え枠（４）を共締めする複数組のボルト（５）及びナット（６）とから成る通気ルーバー装置において、前記押え枠（４）の内面側に、押え枠（４）の開口を覆う四角形状の防虫用又は防塵用のフィルター（７）を押え枠（４）の内面に密接する状態で止めナット（８）により固定すると共に、通気ルーバー（２）の通気口（２ａ）から吹き込む雨水の浸入を防ぐ前面及び上面が開放されたフード（１０）を一体的に設け、前記フィルター（７）は、その上端部に一組のボルト（５）及びナット（６）が通る通し穴（７ａ）を有し、又、前記止めナット（８）は、フィルター（７）の通し穴（７ａ）を通ったボルト（５）に着脱自在に螺着されて当該ボルト（５）に螺着されたナット（６）を収容する凹部（８ａ）を有しており、当該凹部（８ａ）にナット（６）を収容した状態で止めナット（８）の座面がフィルター（７）へ当接してフィルター（７）を押え枠（４）側へ押え付ける構成としたことを特徴とする通気ルーバー装置。
【請求項４】
止めナット（８）の外観形状を円柱状に形成すると共に、当該止めナット（８）の外周面に滑り止め用のローレット目を形成したことを特徴とする請求項１又は請求項３に記載の通気ルーバー装置。
【請求項５】
押え枠（４）に一体的に設けたフード（１０）は、押え枠（４）の左右の側辺に連続する対向状の左右の側壁（１０ａ）と、左右の側壁（１０ａ）に連続してパネル穴（１ａ）に対向する背壁（１０ｂ）と、押え枠（４）の下辺上縁、左右の側壁（１０ａ）の下端及び背壁（１０ｂ）の下端に連続して外方へ向って下り傾斜姿勢の底壁（１０ｃ）と、底壁（１０ｃ）又は押え枠（４）の下辺に外方へ向って下り傾斜姿勢で設けられ、先端部が通気ルーバー（２）の最下位の通気口（２ａ）に臨む水はけ板（１０ｄ）とを備えていることを特徴とする請求項２又は請求項３に記載の通気ルーバー装置。
【請求項６】
押え枠（４）の下辺内面に、フィルター（７）の下端部を受け止めて支持するフィルター受け片（９）を設けたことを特徴とする請求項１に記載の通気ルーバー装置。
【考案の詳細な説明】
【技術分野】
【０００１】
本考案は、屋外に設置される分電盤や配電盤、キュービクル等の電気機器ボックス、或いは屋内に設置される制御盤や計器盤、コンピュータ関連のサーバー等の電気機器ボックスに取り付けられ、電気機器ボックス内の換気を自然換気により行う通気ルーバー装置の改良に関するものである。
【背景技術】
【０００２】
従来、この種の通気ルーバー装置としては、例えば篠原電機株式会社製の通気ギャラリー装置（以下、通気ルーバー装置と呼ぶ）が知られている（非特許文献１参照）。
【０００３】
図１０は従来の通気ルーバー装置の一例を示すものであり、当該通気ルーバー装置は、屋外に設置される配電盤やキュービクル等の電気機器ボックスに取り付けられ、電気機器ボックス内の換気を自然換気により行うものである。
【０００４】
即ち、前記通気ルーバー装置は、図１０に示す如く、電気機器ボックス２０に形成した四角形状のパネル穴２０ａを外面側から覆う通気ルーバー２１と、パネル穴２０ａの内周縁部と通気ルーバー２１の外周縁部との間に介設され、両者間をシールするパッキン２２と、パネル穴２０ａの内周縁部内面に当接する四角形状の押え枠２３と、押え枠２３の左側辺及び右側辺に当接するフランジ２４ａを有し、通気ルーバー２１の通気口２１ａから入り込む空気を上向きに変更案内して雨水の吹き込みを防止する前面及び上面が開放された吹き込み防止カバー２４と、通気ルーバー２１の外周縁部内面に植設され、パッキン２２、パネル穴２０ａ、押え枠２３及び吹き込み防止カバー２４のフランジ２４ａに挿通される複数本のボルト２５と、各ボルト２５に着脱自在に螺着され、通気ルーバー２１、パッキン２２、パネル穴２０ａの内周縁部、押え枠２３及び吹き込み防止カバー２４のフランジ２４ａを前記各ボルト２５とで共締めする複数個のナット２６と、吹込み防止カバー２４内に配置され、押え枠２３の開口を覆う防虫用又は防塵用のフィルター２７と、フィルター２７を押え枠２３側へ押圧固定する押え金具２８及び蝶ナット２９とから構成されており、通気ルーバー２１の通気口２１ａ及び吹き込み防止カバー２４の開口を介して電気機器ボックス２０内の換気を行うようにしたものである。
【０００５】
この通気ルーバー装置を用いれば、電気機器ボックス２０自体への加工を大幅に省略できると共に、吹込み防止カバー２４や防虫用又は防塵用のフィルター２７を使い分けることによって用途に応じた仕様が選択できる等の利点がある。
【０００６】
ところで、従来の通気ルーバー装置は、防虫用又は防塵用のフィルター２７を押え枠２３の内面側に密着する状態で取り付け、フィルター２７と押え枠２３との間に隙間ができないようにしている。そのため、フィルター２７の上端部にボルト２５及びナット２６が通る通し穴２７ａを形成し、この通し穴２７ａにボルト２５及びナット２６を通すことによって、フィルター２７を押え枠２３の内面に密着させるようにしている。
【０００７】
しかし、この場合には、フィルター２７を押え枠２３の内面側に押え付けて固定するための押え金具２８が別途必要になり、この押え金具２８を蝶ナット２９により止めなければならない。
その結果、従来の通気ルーバー装置は、部品点数が増えてコストの高騰を招くと共に、組立に手数がかかると云う問題があった。
【０００８】
又、従来の通気ルーバー装置は、吹き込み防止カバー２４を押え枠２３の内面側に取り付け、吹き込み防止カバー２４の底壁２４ｂを押え枠２３の開口及びパネル穴２０ａ内を通過させ、底壁２４ｂの先端を通気ルーバー２１の最下位の通気口２１ａに臨ませている。その結果、従来の通気ルーバー装置は、通気ルーバー２１の通気口２１ａから吹き込まれた雨水を吹き込み防止カバー２４で受け止め、吹き込み防止カバー２４の内面に沿って流れ落ちる雨水を底壁２４ｂから外部へ排出することができるようになっている。
【０００９】
しかし、従来の通気ルーバー装置は、吹き込み防止カバー２４の左右の側壁部分のみに取り付け用のフランジ２４ａを設けているため、吹き込み防止カバー２４を押え枠２３の内面側に取り付けたときに、吹き込み防止カバー２４の底壁２４ｂと押え枠２３の内周縁との間に隙間Ｇが生じ、ここから雨水が浸入すると云う問題があり、完全な防水機能が得られなかった。
【００１０】
更に、従来の通気ルーバー装置は、吹き込み防止カバー２４のフランジ２４ａが枠状になっておらず、吹き込み防止カバー２４の両側にしかないため、通気ルーバー２１及びパッキン２２をパネル穴２０ａの内周縁部に機密性を持たせた状態で確実に止めるためには、どうしても押え枠２３を必要とし、部品点数の削減を図ることが困難であった。
【先行技術文献】
【非特許文献】
【００１１】
【非特許文献１】篠原電機株式会社、平成２１年１１月５日検索、インターネット＜URL:http://www.shinohara-elec.co.jp/shouhin/gallery/index.html＞
【考案の概要】
【考案が解決しようとする課題】
【００１２】
本考案は、このような問題点に鑑みて為されたものであり、その目的は、部品点数を削減してコストの低減及び組立の簡略化を図れると共に、充分な防水機能が要求される使用条件下であっても問題なく適用でき、雨水の浸入を確実に防止できるようにした通気ルーバー装置を提供することにある。
【課題を解決するための手段】
【００１３】
上記目的を達成するために、本考案の請求項１の考案は、電気機器ボックスに形成した四角形状のパネル穴を外面側から覆い、下向きに開口する通気口を上下多段に形成した通気ルーバーと、パネル穴の内周縁部と通気ルーバーの外周縁部との間に介設したシール用のパッキンと、パネル穴の内周縁部内面側に配置した四角形状の押え枠と、前記通気ルーバー、パッキン、パネル穴の内周縁部及び押え枠を共締めする複数組のボルト及びナットとから成る通気ルーバー装置において、前記押え枠の内面側に、押え枠の開口を覆う四角形状の防虫用又は防塵用のフィルターを押え枠の内面に密接する状態で止めナットにより固定し、前記フィルターは、その上端部に一組のボルト及びナットが通る通し穴を有し、又、前記止めナットは、フィルターの通し穴を通ったボルトに着脱自在に螺着されて当該ボルトに螺着されたナットを収容する凹部を有しており、当該凹部にナットを収容した状態で止めナットの座面がフィルターへ当接してフィルターを押え枠側へ押え付ける構成としたことに特徴がある。
【００１４】
本考案の請求項２の考案は、電気機器ボックスに形成した四角形状のパネル穴を外面側から覆い、下向きに開口する通気口を上下多段に形成した通気ルーバーと、パネル穴の内周縁部と通気ルーバーの外周縁部との間に介設したシール用のパッキンと、パネル穴の内周縁部内面側に配置した四角形状の押え枠と、前記通気ルーバー、パッキン、パネル穴の内周縁部及び押え枠を共締めする複数組のボルト及びナットとから成る通気ルーバー装置において、前記押え枠の内面側に、通気ルーバーの通気口から吹き込む雨水の浸入を防ぐ前面及び上面が開放されたフードを一体的に設けたことに特徴がある。
【００１５】
本考案の請求項３の考案は、電気機器ボックスに形成した四角形状のパネル穴を外面側から覆い、下向きに開口する通気口を上下多段に形成した通気ルーバーと、パネル穴の内周縁部と通気ルーバーの外周縁部との間に介設したシール用のパッキンと、パネル穴の内周縁部内面側に配置した四角形状の押え枠と、前記通気ルーバー、パッキン、パネル穴の内周縁部及び押え枠を共締めする複数組のボルト及びナットとから成る通気ルーバー装置において、前記押え枠の内面側に、押え枠の開口を覆う四角形状の防虫用又は防塵用のフィルターを押え枠の内面に密接する状態で止めナットにより固定すると共に、通気ルーバーの通気口から吹き込む雨水の浸入を防ぐ前面及び上面が開放されたフードを一体的に設け、前記フィルターは、その上端部に一組のボルト及びナットが通る通し穴を有し、又、前記止めナットは、フィルターの通し穴を通ったボルトに着脱自在に螺着されて当該ボルトに螺着されたナットを収容する凹部を有しており、当該凹部にナットを収容した状態で止めナットの座面がフィルターへ当接してフィルターを押え枠側へ押え付ける構成としたことに特徴がある。
【００１６】
本考案の請求項４の考案は、請求項１又は請求項３に記載の考案に於いて、止めナットの外観形状を円柱状に形成すると共に、当該止めナットの外周面に滑り止め用のローレット目を形成したことに特徴がある。
【００１７】
本考案の請求項５の考案は、請求項２又は請求項３に記載の考案に於いて、押え枠に一体的に設けたフードが、押え枠の左右の側辺に連続する対向状の左右の側壁と、左右の側壁に連続してパネル穴に対向する背壁と、押え枠の下辺上縁、左右の側壁の下端及び背壁の下端に連続して外方へ向って下り傾斜姿勢の底壁と、底壁又は押え枠の下辺に外方へ向って下り傾斜姿勢で設けられ、先端部が通気ルーバーの最下位の通気口に臨む水はけ板とを備えていることに特徴がある。
【００１８】
本考案の請求項６の考案は、請求項１に記載の考案に於いて、押え枠の下辺内面に、フィルターの下端部を受け止めて支持するフィルター受け片を設けたことに特徴がある。
【考案の効果】
【００１９】
本考案の請求項１及び請求項３に係る通気ルーバー装置は、防虫用又は防塵用のフィルターに、通気ルーバー及び押え枠をパネル穴の内周縁部に固定するためのボルト及びナットが通る通し穴を形成し、このフィルターを押え枠の内面側に止める止めナットが、フィルターの通し穴を通ったナットを収容する凹部を有し、当該凹部にナットを収容した状態で止めナットの座面がフィルターへ当接してフィルターを押え枠側へ押え付ける構成としているため、冒頭で述べた従来の通気ルーバー装置のようにフィルターを押え枠の内面側へ押え付けるための押え金具を必要とすることがなく、従来の通気ルーバー装置に比較して部品点数を削減でき、コストの低減及び組立の簡略化を図れる。
【００２０】
本考案の請求項２及び請求項３に係る通気ルーバー装置は、押え枠の内面側に、通気ルーバーの通気口から吹き込む雨水の浸入を防ぐ前面及び上面が開放されたフードを一体的に設けているため、吹き込み防止カバー及び押え枠が別体になった従来の通気ルーバー装置に比較して部品点数を削減でき、コストの低減及び組立の簡略化を図れる。
【００２１】
本考案の請求項４に係る通気ルーバー装置は、止めナットの外観形状を円柱状に形成すると共に、当該止めナットの外周面に滑り止め用のローレット目を形成しているため、止めナットの回転性が六角形のナットや蝶ナットの回転性に比べて良くなると共に、止めナットを滑ることなく確実且つ良好に回転させることができ、その結果、止めナットを指で弾いただけで高速回転し、止めナットがボルトに沿って可なりの距離を移動することになり、止めナットの締め付けを六角形のナットや蝶ナットに比較して簡単且つ容易に行える。
【００２２】
本考案の請求項５に係る通気ルーバー装置は、押え枠に一体的に設けたフードが、押え枠の左右の側辺に連続する対向状の左右の側壁と、左右の側壁に連続してパネル穴に対向する背壁と、押え枠の下辺上縁、左右の側壁の下端及び背壁の下端に連続して外方へ向って下り傾斜姿勢の底壁と、底壁又は押え枠の下辺に外方へ向って下り傾斜姿勢で設けられ、先端部が通気ルーバーの最下位の通気口に臨む水はけ板とを備えているため、フードと押え枠との間に隙間が生じると云うことがなく、一体となったフード及び押え枠をパネル穴の内周縁部内面に取り付けたときに、気密性が高められることになり、充分な防水機能が要求される使用条件下であっても問題なく適用でき、雨水の浸入を確実に防止することができる。
又、本考案の請求項５に係る通気ルーバー装置は、押え枠に一体的に設けたフードが、底壁又は押え枠の下辺に外方へ向って下り傾斜姿勢で設けられて先端部が通気ルーバーの最下位の通気口に臨む水はけ板を備えているため、フードの内面に沿って流れ落ちる雨水を外部へ確実に排出することができる。
【００２３】
本考案の請求項６に係る通気ルーバー装置は、押え枠の下辺内面に、フィルターの下端部を受け止めて支持するフィルター受け片を設けているため、フィルターを押え枠の内面側に取り付けるときに、フィルターがフィルター受け片により受け止められることになり、押え枠へのフィルターの取り付けを簡単且つ容易に行える。
【図面の簡単な説明】
【００２４】
【図１】本考案の第１の実施形態に係る通気ルーバー装置の分解斜視図である。
【図２】図１に示す通気ルーバー装置の縦断面図である。
【図３】図１に示す通気ルーバー装置の横断面図である。
【図４】本考案の第２の実施形態に係る通気ルーバー装置の分解斜視図である。
【図５】図４に示す通気ルーバー装置の縦断面図である。
【図６】図４に示す通気ルーバー装置の横断面図である。
【図７】本考案の第３の実施形態に係る通気ルーバー装置の分解斜視図である。
【図８】図７に示す通気ルーバー装置の縦断面図である。
【図９】図７に示す通気ルーバー装置の横断面図である。
【図１０】従来の通気ルーバー装置の一例を示す縦断面図である。
【考案を実施するための形態】
【００２５】
以下、本考案の実施形態を図面に基づいて詳細に説明する。
図１〜図３は本考案の第１の実施形態に係る通気ルーバー装置を示し、当該通気ルーバー装置は、屋内に設置される配電盤や制御盤、計器盤、操作盤等の電気機器ボックス１に取り付けられるものであり、電気機器ボックス１内の換気を自然換気により行うものである。
【００２６】
即ち、前記通気ルーバー２装置は、電気機器ボックス１に形成した四角形状のパネル穴１ａ（換気用の穴）を外面側から覆い、下向きに開口する横長の通気口２ａを上下多段に形成した通気ルーバー２と、パネル穴１ａの内周縁部と通気ルーバー２の外周縁部との間に介設され、両者間をシールするパッキン３と、パネル穴１ａの内周縁部内面側に配置され、パネル穴１ａの内周縁部内面に当接する四角形状の押え枠４と、通気ルーバー２の外周縁部裏面に植設され、パッキン３、パネル穴１ａ及び押え枠４に挿通される複数本のボルト５と、各ボルト５に着脱自在に螺着され、通気ルーバー２、パッキン３、パネル穴１ａの内周縁部及び押え枠４を前記各ボルト５とで共締めする複数個のナット６と、押え枠４の内面に密接する状態で配置され、押え枠４の開口を覆うと共に、上端部に一組のボルト５及びナット６が通る通し穴７ａを有する四角形状の防虫用又は防塵用のフィルター７と、フィルター７の通し穴７ａを通ったボルト５に着脱自在に螺着され、当該ボルト５に螺着されたナット６を収容する凹部８ａを有すると共に、当該凹部８ａにナット６を収容した状態でその座面がフィルター７へ当接してフィルター７を押え枠４側へ押え付ける止めナット８とから構成されている。
【００２７】
具体的には、前記通気ルーバー２は、四角形状の鋼板をプレス加工することにより形成されており、鋼板の表面側へ向って打ち出し形成されて下向きに開口する横長スリット状の通気口２ａを形成する多段状のルーバー壁２ｂと、鋼板の外周縁に裏面側へ向けて折り曲げ形成されてパネル穴１ａの内周縁部外面に当接する四角枠状のリブ２ｃとを備えている。
又、通気ルーバー２の外周縁部裏面には、複数本のボルト５が溶接により固定されている。この実施形態においては、ボルト５は、通気ルーバー２の上端部裏面の両端位置と中間位置、通気ルーバー２の下端部裏面の中間位置、通気ルーバー２の両側部裏面の下端側寄りの位置にそれぞれ固定されており、各ボルト５は通気ルーバー２がパネル穴１ａを外面側から覆ったときにパネル穴１ａに挿通されるように配置されている。
【００２８】
前記パッキン３は、帯状に形成した四本のゴムパッキンを四角枠状に組み付けることにより構成されており、当該パッキン３には通気ルーバー２に植設した各ボルト５が挿通さるボルト挿通穴３ａが形成されている。このパッキン３は、その片面に両面テープ（図示省略）が貼り付けられており、ボルト挿通穴３ａにボルト５を通した状態で通気ルーバー２の外周縁部裏面に両面テープにより貼り付けられている。
尚、パッキン３の大きさは、その内周縁部がパネル穴１ａに対向すると共に、その外周縁部がパネル穴１ａの内周縁部と通気ルーバー２の外周縁部との間に介設される大きさに設定されている。
【００２９】
前記押え枠４は、鋼板を四角枠状に打ち抜き加工することにより形成されており、その外周縁部には通気ルーバー２の裏面に植設された各ボルト５が挿通さるボルト挿通穴４ａが所定間隔ごとに形成されている。
又、押え枠４の下辺内面には、フィルター７の下端部を受け止めて支持するフィルター受け片９が設けられている。この実施形態においては、フィルター受け片９は、帯状の鋼板材により形成されており、押え枠４の下辺内面に一対配置されてスポット溶接により固定されている。
尚、押え枠４の大きさは、その内周縁部がパネル穴１ａに対向すると共に、その外周縁部がパネル穴１ａの内周縁部に当接する大きさに設定されている。
【００３０】
前記ナット６は、通気ルーバー２の裏面に植設したボルト５に着脱自在に螺着されてボルト５との締め付け作用により通気ルーバー２、パッキン３、パネル穴１ａの内周縁部及び押え枠４を共締めするものである。このナット６には、座付のナットが使用されている。
【００３１】
前記フィルター７は、押え枠４の開口よりも大きめに形成されたステンレス製の四角形状の保形枠７ｂと、保形枠７ｂ内に張設されたフィルター材７ｃとから成り、保形枠７ｂの上辺中間部には一組のボルト５及びナット６が通る通し穴７ａが形成されている。このフィルター７には、フィルター材７ｃを防虫用の金網（メッシュ０．５のステンレス網）で形成した防虫用のフィルター７と、フィルター材７ｃを防塵用のＰＰハニカム（ポリプロピレン繊維をスクリーン状に織ったフィルター）で形成した防塵用のフィルター７とがあり、これらは用途に応じて使い分けられている。
尚、フィルター７の大きさは、その通し穴７ａに一組のボルト５及びナット６を通したときに、押え枠４の開口を完全に覆い且つ他の組のボルト５及びナット６に干渉しない大きさに設定されている。
【００３２】
前記止めナット８は、外観形状が円柱状に形成されており、止めナット８の座面側にはフィルター７の通し穴７ａを通ったナット６を収容する凹部８ａが形成されている。
又、止めナット８の外周面には、滑り止め用のローレット目が形成されている。
そして、この止めナット８は、フィルター７の通し穴７ａを通ったボルト５に螺着されており、当該ボルト５に螺着されたナット６を凹部８ａ内に収容した状態で止めナット８の座面がフィルター７へ当接して当該フィルター７を押え枠４側へ押え付けられるようになっている。
【００３３】
上記のように構成した通気ルーバー装置を電気機器ボックス１のパネル穴１ａに取り付けるには、先ず、通気ルーバー２の外周縁部裏面側にパッキン３を両面テープにより貼り付ける。このとき、パッキン３は、そのボルト挿通穴３ａに通気ルーバー２の裏面に植設したボルト５が通るようにして通気ルーバー２の外周縁部裏面に貼り付ける。
【００３４】
次に、パッキン３を貼り付けた通気ルーバー２により電気機器ボックス１のパネル穴１ａを外面側から覆い、通気ルーバー２に植設したボルト５をパネル穴１ａに挿通し、この状態で電気機器ボックス１の内方から押え枠４のボルト挿通穴４ａに通気ルーバー２に植設したボルト５を通すと共に、押え枠４を電気機器ボックス１のパネル穴１ａの内周縁部内面に当接させ、各ボルト５にナット６をそれぞれねじ込んで締め付けて行く。
そうすると、ボルト５及びナット６により通気ルーバー２、パッキン３、パネル穴１ａの内周縁部及び押え枠４が共締めされ、パネル穴１ａの内周縁部が通気ルーバー２と押え枠４とで挾持固定されると共に、通気ルーバー２とパネル穴１ａの内周縁部との間がパッキン３によりシールされる（図２及び図３参照）。
尚、押え枠４は、フィルター受け片９が電気機器ボックス１の内方を向くようにして取り付ける。
【００３５】
最後に、電気機器ボックス１の内方から防虫用又は防塵用のフィルター７の通し穴７ａ内に一組のボルト５及びナット６を通すと共に、当該フィルター７を押え枠４の内面に押し当て、この状態でフィルター７の通し穴７ａを通ったボルト５に止めナット８をねじ込んで締め付けて行く。
そうすると、止めナット８は、その凹部８ａ内にフィルター７の通し穴７ａを通ったナット６を収容した状態で止めナット８の座面がフィルター７へ当接することになり、フィルター７を押え枠４側へ押え付けることになる。
【００３６】
上述した通気ルーバー装置においては、外気が通気ルーバー２の通気口２ａから防虫用又は防塵用のフィルター７を通って電気機器ボックス１内へ流入可能となる。
【００３７】
この通気ルーバー装置は、防虫用又は防塵用のフィルター７に、通気ルーバー２及び押え枠４をパネル穴１ａの内周縁部に固定するためのボルト５及びナット６が通る通し穴７ａを形成し、このフィルター７を押え枠４の内面側に止める止めナット８がフ、ィルター７の通し穴７ａを通ったナット６を収容する凹部８ａを有し、当該凹部８ａにナット６を収容した状態で止めナット８の座面がフィルター７へ当接してフィルター７を押え枠４側へ押え付ける構成としているため、冒頭で述べた従来の通気ルーバー装置（図１０参照）のようにフィルター２７を押え枠２３の内面側へ押え付けるための押え金具２８を必要とすることがなく、従来の通気ルーバー装置に比較して部品点数を削減でき、コストの低減及び組立の簡略化を図れる。
又、この通気ルーバー装置は、止めナット８の外観形状を円柱状に形成すると共に、当該止めナット８の外周面に滑り止め用のローレット目を形成しているため、止めナット８の回転性が六角形のナットや蝶ナットの回転性に比べて良くなると共に、止めナット８を滑ることなく確実且つ良好に回転させることができ、その結果、止めナット８を指で弾いただけで高速回転し、止めナット８がボルト５に沿って可なりの距離を移動することになり、止めナット８の締め付けを六角形のナットや蝶ナットに比較して簡単且つ容易に行える。
更に、この通気ルーバー装置は、押え枠４の下辺内面に、フィルター７の下端部を受け止めて支持するフィルター受け片９を設けているため、フィルター７を押え枠４の内面側に取り付けるときに、フィルター７がフィルター受け片９により受け止められることになり、押え枠４へのフィルター７の取り付けを簡単且つ容易に行える。
【００３８】
図４〜図６は本考案の第２の実施形態に係る通気ルーバー装置を示し、当該通気ルーバー装置は、屋外に設置される分電盤や配電盤、キュービクル等の電気機器ボックス１に取り付けられるものであり、電気機器ボックス１内の換気を自然換気により行うものである。
【００３９】
即ち、前記通気ルーバー装置は、電電気機器ボックス１に形成した四角形状のパネル穴１ａ（換気用の穴）を外面側から覆い、下向きに開口する横長の通気口２ａを上下多段に形成した通気ルーバー２と、パネル穴１ａの内周縁部と通気ルーバー２の外周縁部との間に介設され、両者間をシールするパッキン３と、パネル穴１ａの内周縁部内面側に配置され、パネル穴１ａの内周縁部内面に当接する四角形状の押え枠４と、通気ルーバー２の外周縁部裏面に植設され、パッキン３、パネル穴１ａ及び押え枠４に挿通される複数本のボルト５と、各ボルト５に着脱自在に螺着され、通気ルーバー２、パッキン３、パネル穴１ａの内周縁部及び押え枠４を前記各ボルト５とで共締めする複数個のナット６と、押え枠４の内面側に一体的に設けられ、通気ルーバー２の通気口２ａから吹き込む雨水の浸入を防ぐ前面及び上面が開放されたフード１０とから構成されている。
【００４０】
この通気ルーバー装置は、フィルター７、止めナット８及びフィルター受け片９を省略し、押え枠４の内面側にフード１０を一体的に設けたこと以外は、図１〜図３に示す通気ルーバー装置と同様構造に構成されている。
又、通気ルーバー装置の通気ルーバー２、パッキン３、ボルト５及びナット６は、図１〜図３に示す通気ルーバー装置のものと全く同じ形状及び同じ構造に形成されているため、ここでは同一の参照番号を付し、その詳細な説明を省略する。
【００４１】
前記押え枠４は、鋼板により四角形の枠状に形成されており、その外周縁部には通気ルーバー２の裏面に植設された各ボルト５が挿通さるボルト挿通穴４ａが所定間隔ごとに形成されている。
この押え枠４の左側辺、右側辺及び下辺は、後述するフード１０に連設されており、フード１０を形成する際にフード１０と一緒に形成される。又、押え枠４の上辺は、長尺板状の鋼板から成り、鋼板の両端を左側辺及び右側辺の上端部内縁にそれぞれ溶接することにより形成される。
【００４２】
尚、フード１０と一体になった押え枠４の左側辺及び右側辺には、鋼板により形成した長尺板状のフィルターガード１１が押え枠４の開口内に突出する状態でそれぞれスポット溶接により固定されている。このフィルターガード１１は、フード１０と一体になった押え枠４の内面側にフィルター７を取り付ける際に、フィルター７の両側縁部に対向し、フィルター７と押え枠４との間に隙間が生じないようにするためのものである。
【００４３】
前記フード１０は、鋼板を切り抜き加工及び曲げ加工し、曲げ加工して突き合された箇所を溶接することにより形成されており、押え枠４の左右の側辺に連続する対向状の左右の側壁１０ａと、左右の側壁１０ａに連続してパネル穴１ａに対向する背壁１０ｂと、押え枠４の下辺上縁、左右の側壁１０ａの下端及び背壁１０ｂの下端に連続して外方へ向って下り傾斜姿勢の底壁１０ｃと、底壁１０ｃ又は押え枠４の下辺に外方へ向って下り傾斜姿勢で設けられ、先端部が通気ルーバー２の最下位の通気口２ａに臨む水はけ板１０ｄとを備えている。
又、水はけ板１０ｄは、鋼板により左右の側壁１０ａ間の距離と同じ長さの長尺板状に形成されており、底壁１０ｃの上面に溶接により固定されて外方へ向って下り傾斜姿勢となっている。この水はけ板１０ｄは、押え枠４の下辺上縁に溶接により固定しても良い。
【００４４】
上記のように構成した通気ルーバー装置を電気機器ボックス１のパネル穴１ａに取り付けるには、上述した図１〜図３に示す通気ルーバー装置と同様に通気ルーバー２の外周縁部裏面側にパッキン３を貼り付け、パッキン３を貼り付けた通気ルーバー２により電気機器ボックス１のパネル穴１ａを外面側から覆い、通気ルーバー２に植設したボルト５をパネル穴１ａ内に挿通し、この状態で電気機器ボックス１の内方からフード１０と一体になった押え枠４のボルト挿通穴４ａに通気ルーバー２に植設したボルト５を通すと共に、押え枠４を電気機器ボックス１のパネル穴１ａの内周縁部内面に当接させ、各ボルト５にナット６をそれぞれねじ込んで締め付けて行く。
そうすると、ボルト５及びナット６により通気ルーバー２、パッキン３、パネル穴１ａの内周縁部及び押え枠４が共締めされ、パネル穴１ａの内周縁部が通気ルーバー２と押え枠４とで挾持固定されると共に、通気ルーバー２とパネル穴１ａの内周縁部との間がパッキン３によりシールされる（図５及び図６参照）。
【００４５】
上述した通気ルーバー装置においては、外気が通気ルーバー２の通気口２ａからフード１０内へ入り、フード１０の上面開口から電気機器ボックス１内へ流入可能となる。又、通気ルーバー２の通気口２ａからフード１０内に吹き込まれた雨水は、フード１０の内面に衝突して付着し、フード１０の内面に沿って流れ落ちて最下位の通気口２ａから外部へ排出される。
【００４６】
この通気ルーバー装置は、押え枠４の内面側に、通気ルーバー２の通気口２ａから吹き込む雨水の浸入を防ぐ前面及び上面が開放されたフード１０を一体的に設けているため、吹き込み防止カバー２４及び押え枠２３が別体になった従来の通気ルーバー装置に比較して部品点数を削減でき、コストの低減及び組立の簡略化を図れることになる。
又、通気ルーバー装置は、フード１０が、押え枠４の左右の側辺に連続する対向状の左右の側壁１０ａと、左右の側壁１０ａに連続してパネル穴１ａに対向する背壁１０ｂと、押え枠４の下辺上縁、左右の側壁１０ａの下端及び背壁１０ｂの下端に連続して外方へ向って下り傾斜姿勢の底壁１０ｃと、底壁１０ｃ又は押え枠４の下辺に外方へ向って下り傾斜姿勢で設けられ、先端部が通気ルーバー２の最下位の通気口２ａに臨む水はけ板１０ｄとを備えているため、フード１０と押え枠４との間に隙間が生じると云うことがなく、一体となったフード１０及び押え枠４をパネル穴１ａの内周縁部内面に取り付けたときに、気密性が高められることになり、充分な防水機能が要求される使用条件下であっても問題なく適用でき、雨水の浸入を確実に防止することができる。
更に、通気ルーバー装置は、フード１０が、底壁１０ｃの上面に外方へ向って下り傾斜姿勢で設けられて先端部が通気ルーバー２の最下位の通気口２ａに臨む水はけ板１０ｄを備えているため、フード１０の内面に沿って流れ落ちる雨水を外部へ確実に排出することができる。
【００４７】
図７〜図９は本考案の第３の実施形態に係る通気ルーバー装置を示し、当該通気ルーバー装置は、屋外に設置される分電盤や配電盤、キュービクル等の電気機器ボックス１に取り付けられるものであり、電気機器ボックス１内の換気を自然換気により行うものである。
【００４８】
即ち、前記通気ルーバー装置は、電気機器ボックス１に形成した四角形状のパネル穴１ａ（換気用の穴）を外面側から覆い、下向きに開口する横長の通気口２ａを上下多段に形成した通気ルーバー２と、パネル穴１ａの内周縁部と通気ルーバー２の外周縁部との間に介設され、両者間をシールするパッキン３と、パネル穴１ａの内周縁部内面側に配置され、パネル穴１ａの内周縁部内面に当接する四角形状の押え枠４と、通気ルーバー２の外周縁部裏面に植設され、パッキン３、パネル穴１ａ及び押え枠４に挿通される複数本のボルト５と、各ボルト５に着脱自在に螺着され、通気ルーバー２、パッキン３、パネル穴１ａの内周縁部及び押え枠４を前記各ボルト５とで共締めする複数個のナット６と、押え枠４の内面に密接する状態で配置され、押え枠４の開口を覆うと共に、上端部に一組のボルト５及びナット６が通る通し穴７ａを有する四角形状の防虫用又は防塵用のフィルター７と、フィルター７の通し穴７ａを通ったボルト５に着脱自在に螺着され、当該ボルト５に螺着されたナット６を収容する凹部８ａを有すると共に、当該凹部８ａにナット６を収容した状態でその座面がフィルター７へ当接してフィルター７を押え枠４側へ押え付ける止めナット８と、押え枠４の内面側に一体的に設けられ、通気ルーバー２の通気口２ａから吹き込む雨水の浸入を防ぐ前面及び上面が開放されたフード１０とから構成されている。
【００４９】
この通気ルーバー装置は、フィルター受け片９を省略した押え枠４にフード１０を一体的に設けると共に、防虫用又は防塵用のフィルター７をフード１０内に配置して押え枠４の内面側に止めナット８により固定したものである。
この通気ルーバー装置の通気ルーバー２、パッキン３、ボルト５、ナット６、フィルター７及び止めナット８は、図１〜図３に示す通気ルーバー装置のものと全く同じ形状及び同じ構造に形成され、又、この通気ルーバー装置の押え枠４及びフード１０は、図４〜図６に示す通気ルーバー装置のものと全く同じ形状及び同じ構造に形成されているため、ここでは同一の参照番号を付し、その詳細な説明を省略する。
【００５０】
上記のように構成した通気ルーバー装置を電気機器ボックス１のパネル穴１ａに取り付けるには、上述した図１〜図３に示す通気ルーバー装置と同様に通気ルーバー２の外周縁部裏面側にパッキン３を貼り付け、パッキン３を貼り付けた通気ルーバー２により電気機器ボックス１のパネル穴１ａを外面側から覆い、通気ルーバー２に植設したボルト５をパネル穴１ａ内に挿通し、この状態で電気機器ボックス１の内方からフード１０と一体になった押え枠４のボルト挿通穴４ａに通気ルーバー２に植設したボルト５を通すと共に、押え枠４を電気機器ボックス１のパネル穴１ａの内周縁部内面に当接させ、各ボルト５にナット６をそれぞれねじ込んで締め付けて行く。
そうすると、ボルト５及びナット６により通気ルーバー２、パッキン３、パネル穴１ａの内周縁部及び押え枠４が共締めされ、パネル穴１ａの内周縁部が通気ルーバー２と押え枠４とで挾持固定されると共に、通気ルーバー２とパネル穴１ａの内周縁部との間がパッキン３によりシールされる（図８及び図９参照）。
【００５１】
最後に、防虫用又は防塵用のフィルター７をフード１０内に挿入し、フィルター７の通し穴７ａ内に一組のボルト５及びナット６を通すと共に、当該フィルター７を押え枠４の内面に押し当て、この状態でフィルター７の通し穴７ａを通ったボルト５に止めナット８をねじ込んで締め付けて行く。
そうすると、止めナット８は、その凹部８ａ内にフィルター７の通し穴７ａを通ったナット６を収容した状態で止めナット８の座面がフィルター７へ当接することになり、フィルター７を押え枠４側へ押え付けることになる。
【００５２】
上述した通気ルーバー装置においては、外気が通気ルーバー２の通気口２ａから防虫用又は防塵用のフィルター７を通ってフード１０内へ入り、フード１０の上面開口から電気機器ボックス１内へ流入可能となる。又、通気ルーバー２の通気口２ａからフィルター７を通ってフード１０内に吹き込まれた雨水は、フード１０の内面に衝突して付着し、フード１０の内面に沿って流れ落ちて最下位の通気口２ａから外部へ排出される。
【００５３】
この通気ルーバー装置は、図１〜図６に示す通気ルーバー装置と同様の作用効果を奏することができる。しかも、この通気ルーバー装置は、押え枠４の左側辺及び右側辺に、押え枠４の開口内に突出してフィルター７の両側縁部に対向するフィルターガード１１をそれぞれ設けているため、フィルター７と押え枠４との間に隙間が生じ難くなり、高い防虫効果又は防塵効果が得られることになる。
【符号の説明】
【００５４】
１は電気機器ボックス、１ａはパネル穴、２は通気ルーバー、２ａは通気ルーバーの通気口、３はパッキン、４は押え枠、５はボルト、６はナット、７はフィルター、７ａはフィルターの通し穴、８は止めナット、８ａは止めナットの凹部、９はフィルター受け片、１０はフード、１０ａはフードの左右の側壁、１０ｂはフードの背壁、１０ｃはフードの底壁、１０ｄはフードの水はけ板。
【図１】
0003157327.tif 000003
【図２】
0003157327.tif 000004
【図３】
0003157327.tif 000005
【図４】
0003157327.tif 000006
【図５】
0003157327.tif 000007
【図６】
0003157327.tif 000008
【図７】
0003157327.tif 000009
【図８】
0003157327.tif 000010
【図９】
0003157327.tif 000011
【図１０】
0003157327.tif 000012